(57)【要約】【課題】  バッテリ充電方法を提供すること。【解決手段】  一実施形態は、初期充電ステップでバッテリが充電される間に、前記バッテリの充電容量に対応するバッテリ物理量及び基準物理量に基づいてバッテリ過電圧を決定し、前記バッテリ過電圧に基づいてバッテリ充電ステップの変更条件が満足されるか否かを決定し、前記変更条件が満足される場合に、前記バッテリ充電ステップを前記初期充電ステップから調整充電ステップに変更するステップを含む。【選択図】      図１
2017093284.tif 000002
【特許請求の範囲】
【請求項１】
初期充電ステップでバッテリが充電される間に、前記バッテリの充電容量に対応するバッテリ物理量及び基準物理量に基づいてバッテリ過電圧を決定するステップと、
前記バッテリ過電圧に基づいてバッテリ充電ステップの変更条件が満足されるか否かを決定するステップと、
前記変更条件が満足される場合、前記バッテリ充電ステップを前記初期充電ステップから調整充電ステップに変更するステップと、
を含む、バッテリ充電方法。
【請求項２】
前記調整充電ステップにおける充電電流値は、前記初期充電ステップにおける充電電流値よりも小さい、
請求項１に記載のバッテリ充電方法。
【請求項３】
前記変更条件は、前記バッテリ過電圧が閾値電圧以上である場合として定義される第１条件を含む、
請求項１または２に記載のバッテリ充電方法。
【請求項４】
前記閾値電圧は、前記充電容量が増加するほど前記充電容量に対応する値が減少する関数に基づいて決定される、
請求項３に記載のバッテリ充電方法。
【請求項５】
前記変更条件は、
前記初期充電ステップにおける前記バッテリの充電時間が前記初期充電ステップのデュレーション以上である場合として定義される第２条件と、
前記初期充電ステップにおける前記バッテリ物理量が前記初期充電ステップのステップ電圧値以上である場合として定義される第３条件と、
をさらに含み、
前記調整充電ステップに変更するステップは、前記第１条件、前記第２条件、及び前記第３条件のうちのいずれか１つが満足される場合、前記調整充電ステップに変更するステップを含む、
請求項３に記載のバッテリ充電方法。
【請求項６】
前記調整充電ステップに変更するステップは、
前記バッテリ過電圧が閾値電圧以上である場合、前記初期充電ステップの早期終了を行うステップと、
前記初期充電ステップの早期終了に対する応答として、バッテリ充電ステップインデックスを更新するステップと、
前記更新されたバッテリ充電ステップインデックスを充電ステップの予め設定された個数と比較するステップと、
前記更新されたバッテリ充電ステップインデックスが前記予め設定された個数以下である場合、前記バッテリ充電ステップを前記調整充電ステップに変更するステップと、
を含む、
請求項１乃至５いずれか一項に記載のバッテリ充電方法。
【請求項７】
前記バッテリ過電圧は、前記バッテリ物理量と前記基準物理量との間の差である、
請求項１に記載のバッテリ充電方法。
【請求項８】
前記初期充電ステップにおける充電以前に、測定されたバッテリ物理量を予め設定された物理量と比較するステップと、
前記測定されたバッテリ物理量が前記予め設定された物理量を超過する場合、前記測定されたバッテリ物理量に基づいて前記初期充電ステップを決定するステップと、
前記初期充電ステップが決定された場合、前記初期充電ステップで前記バッテリを充電するステップと、
をさらに含む、請求項１に記載のバッテリ充電方法。
【請求項９】
前記初期充電ステップにおける充電以前に、測定されたバッテリ物理量を予め設定された物理量と比較するステップと、
前記測定されたバッテリ物理量が前記予め設定された物理量以下である場合、定電流で前記バッテリを充電するステップと、
前記定電流で充電されたバッテリのバッテリ物理量を前記予め設定された物理量と比較するステップと、
前記定電流で充電された前記バッテリのバッテリ物理量が前記予め設定された物理量を超過する場合、前記初期充電ステップで前記バッテリを充電するステップと、
をさらに含む、請求項１に記載のバッテリ充電方法。
【請求項１０】
バッテリ状態情報に基づいて低速充電モードでバッテリを充電するステップと、
前記低速充電モードで充電される場合、複数のバッテリ充電ステップを含む急速充電モードの初期充電ステップで前記バッテリを充電するステップと、
前記初期充電ステップで実行された充電の結果に基づいて、前記急速充電モードのバッテリ充電ステップの変更条件が満足されるか否かを決定するステップと、
前記変更条件が満足される場合、前記初期充電ステップから調整充電ステップに変更するステップと、
前記調整充電ステップで前記バッテリを充電するステップと、
を含み、
前記変更条件は、前記バッテリの充電容量に対応するバッテリ物理量及び基準物理量に基づいて決定されるバッテリ過電圧が閾値電圧以上である場合として定義される第１条件を含む、
バッテリ充電方法。
【請求項１１】
前記調整充電ステップにおける充電電流値は、前記初期充電ステップにおける充電電流値よりも小さい、
請求項１０に記載のバッテリ充電方法。
【請求項１２】
前記閾値電圧は、前記充電容量が増加するほど前記充電容量に対応する値が減少する関数に基づいて決定される、
請求項１０に記載のバッテリ充電方法。
【請求項１３】
前記変更条件は、
前記初期充電ステップにおける前記バッテリの充電時間が前記初期充電ステップのデュレーション以上である場合として定義される第２条件と、
前記初期充電ステップにおける前記バッテリ物理量が前記初期充電ステップのステップ電圧値以上である場合として定義される第３条件と、
をさらに含み、
前記調整充電ステップに変更するステップは、前記第１条件、前記第２条件、及び前記第３条件のうちのいずれか１つが満足される場合に前記調整充電ステップに変更するステップを含む、
請求項１０に記載のバッテリ充電方法。
【請求項１４】
前記調整充電ステップに変更するステップは、
前記バッテリ過電圧が閾値電圧以上である場合、前記初期充電ステップの早期終了を行うステップと、
前記初期充電ステップの早期終了に対する応答として、バッテリ充電ステップインデックスを更新するステップと、
前記更新されたバッテリ充電ステップインデックスを充電ステップの予め設定された個数と比較するステップと、
前記更新されたバッテリ充電ステップインデックスが前記予め設定された個数以下である場合、前記バッテリ充電ステップを前記調整充電ステップに変更するステップと、
を含む、
請求項１０乃至１３いずれか一項に記載のバッテリ充電方法。
【請求項１５】
前記バッテリ過電圧は、前記バッテリ物理量と前記基準物理量との間の差である、
請求項１０に記載のバッテリ充電方法。
【請求項１６】
前記低速充電モードでバッテリを充電するステップは、
測定されたバッテリ物理量と予め設定された物理量とを比較するステップと、
前記測定されたバッテリ物理量が前記予め設定された物理量を超過する場合、前記測定されたバッテリ物理量に基づいて前記初期充電ステップを決定するステップと、
前記初期充電ステップが決定された場合、予め決定した時間の間に定電流で前記バッテリを充電するステップと、
を含む、請求項１０に記載のバッテリ充電方法。
【請求項１７】
前記低速充電モードでバッテリを充電するステップは、
測定されたバッテリ物理量と予め設定された物理量とを比較するステップと、
前記測定されたバッテリ物理量が前記予め設定された物理量以下である場合、定電流で前記バッテリを充電するステップと、
前記定電流で充電されるバッテリのバッテリ物理量を前記予め設定された物理量と比較するステップと、
前記定電流で充電されるバッテリのバッテリ物理量が前記予め設定された物理量を超過するまで前記定電流で前記バッテリの充電を継続するステップと、
を含む、請求項１０に記載のバッテリ充電方法。
【請求項１８】
バッテリ物理量を受信するインタフェースと、
初期充電ステップでバッテリが充電される間に、前記バッテリの充電容量に対応する前記バッテリ物理量及び基準物理量に基づいてバッテリ過電圧を決定し、前記バッテリ過電圧に基づいてバッテリ充電ステップの変更条件が満足されるか否かを決定し、前記変更条件が満足される場合に、前記バッテリ充電ステップを前記初期充電ステップから調整充電ステップに変更するプロセッサと、
を含む、バッテリ充電装置。
【請求項１９】
バッテリの初期状態に基づいて複数のバッテリ充電ステップを含む急速充電モードの初期充電ステップを決定するステップと、
前記初期充電ステップで前記バッテリを充電し、前記バッテリのバッテリ過電圧が閾値電圧を超過する場合、次のバッテリ充電ステップに変更するステップと、
を含み、
前記バッテリ過電圧は、前記バッテリの電圧と基準電圧との間の差である、
バッテリ充電方法。
【請求項２０】
前記急速充電モードで前記バッテリを充電する前に低速充電モードで前記バッテリを充電するステップをさらに含み、
前記低速充電モードで前記バッテリを充電するステップは、
前記バッテリの電圧が予め設定された電圧以下である場合、前記バッテリの電圧が前記予め設定された電圧を超過するまで前記低速充電モードで前記バッテリを充電するステップと、
前記バッテリの電圧が前記予め設定された電圧を超過する場合、予め決定した時間の間に前記低速充電モードで前記バッテリを充電するステップと、
を含む、
請求項１９に記載のバッテリ充電方法。
【請求項２１】
前記低速充電モードで前記バッテリを充電するステップは、前記急速充電モードの複数のバッテリ充電ステップの最小ステップ充電電流よりも小さいサイズの定電流で前記バッテリを充電するステップをさらに含む、
請求項２０に記載のバッテリ充電方法。
【請求項２２】
前記急速充電モードの終了後に前記バッテリの電圧が最大充電電圧に達するまで定電流モードで前記バッテリを充電するステップをさらに含む、
請求項１９に記載のバッテリ充電方法。
【請求項２３】
前記複数のバッテリ充電ステップのそれぞれは、以後バッテリ充電ステップのステップ電圧よりも小さいステップ電圧を有し、
前記バッテリの初期状態は前記バッテリの初期電圧であり、
前記初期充電ステップを決定するステップは、
前記初期電圧が予め設定された電圧以下である場合、前記複数のバッテリ充電ステップの最初のバッテリ充電ステップを前記初期充電ステップとして決定するステップと、
前記初期電圧が前記予め設定された電圧よりも大きい場合、前記初期電圧よりも大きいステップ電圧を有するバッテリ充電ステップのうち最初を前記初期充電ステップとして決定するステップと、
を含む、請求項１９に記載のバッテリ充電方法。
【請求項２４】
前記複数のバッテリ充電ステップそれぞれは、以後バッテリ充電ステップのステップ充電電流よりも小さいステップ充電電流を有する、
請求項１９に記載のバッテリ充電方法。
【請求項２５】
前記変更するステップは、前記バッテリの前記バッテリ過電圧が前記閾値電圧以上である場合、充電ステップの充電時間が前記充電ステップのステップデュレーション以上である場合、及び前記充電ステップの間の前記バッテリの電圧が前記充電ステップのステップ電圧以上である場合、のいずれか１つに該当すれば、前記次のバッテリ充電ステップに変更するステップを含む、
請求項１９に記載のバッテリ充電方法。
【請求項２６】
請求項１９乃至２５いずれか一項に記載のバッテリ充電方法をコンピューティングハードウェアに行わせる命令語を格納するコンピュータで読み出し可能な格納媒体。
【発明の詳細な説明】
【技術分野】
【０００１】
本発明は、バッテリ充電方法及びバッテリ充電装置に関する。
【背景技術】
【０００２】
バッテリ充電方法は多様である。例えば、定電流−定電圧の充電方法は定電流でバッテリを充電し、バッテリ電圧が予め設定された電圧に達した場合に定電圧でバッテリを充電する。他の例として、電流減衰（Ｖａｒｙｉｎｇ  ｃｕｒｒｅｎｔ  ｄｅｃａｙ）充電方法は、低いＳＯＣ（Ｓｔａｔｅ  ｏｆ  Ｃｈａｒｇｅ）では高電流でバッテリを充電し、充電によって特定ＳＯＣとなる場合に電流を次第に減らしながらバッテリを充電する。前述した充電方法の他にも、バッテリの充電時間を減少させる急速充電方法がある。急速充電が繰り返される場合にバッテリの寿命は急激に減少する。
【発明の概要】
【発明が解決しようとする課題】
【０００３】
一実施形態によると、急速充電が繰り返されてもバッテリの寿命を急激に減少しないことにある。また、一実施形態によると、バッテリが充電される間にバッテリの過電圧は閾値電圧未満に保持されることにある。
【課題を解決するための手段】
【０００４】
一態様に係るバッテリ充電方法は、初期充電ステップでバッテリが充電される間に、前記バッテリの充電容量に対応するバッテリ物理量及び基準物理量に基づいてバッテリ過電圧を決定するステップと、前記バッテリ過電圧に基づいてバッテリ充電ステップの変更条件が満足されるか否かを決定するステップと、前記変更条件が満足される場合、前記バッテリ充電ステップを前記初期充電ステップから調整充電ステップに変更するステップとを含む。
【０００５】
前記調整充電ステップにおける充電電流値は、前記初期充電ステップにおける充電電流値よりも小さい。
【０００６】
前記変更条件は、前記バッテリ過電圧が閾値電圧以上である場合として定義される第１条件を含み得る。
【０００７】
前記閾値電圧は、前記充電容量が増加するほど前記充電容量に対応する値が減少する関数に基づいて決定され得る。
【０００８】
前記変更条件は、前記初期充電ステップにおける前記バッテリの充電時間が前記初期充電ステップのデュレーション以上である場合として定義される第２条件と、前記初期充電ステップにおける前記バッテリ物理量が前記初期充電ステップのステップ電圧値以上である場合として定義される第３条件とをさらに含み、前記調整充電ステップに変更するステップは、前記第１条件、前記第２条件、及び前記第３条件のうちのいずれか１つが満足される場合、前記調整充電ステップに変更するステップを含み得る。
【０００９】
前記調整充電ステップに変更するステップは、前記バッテリ過電圧が閾値電圧以上である場合、前記初期充電ステップの早期終了を行うステップと、前記初期充電ステップの早期終了に対する応答として、バッテリ充電ステップインデックスを更新するステップと、前記更新されたバッテリ充電ステップインデックスを充電ステップの予め設定された個数と比較するステップと、前記更新されたバッテリ充電ステップインデックスが前記予め設定された個数以下である場合、前記バッテリ充電ステップを前記調整充電ステップに変更するステップとを含み得る。
【００１０】
前記バッテリ過電圧は、前記バッテリ物理量と前記基準物理量との間の差であり得る。
【００１１】
前記初期充電ステップにおける充電以前に、測定されたバッテリ物理量を予め設定された物理量と比較するステップと、前記測定されたバッテリ物理量が前記予め設定された物理量を超過する場合、前記測定されたバッテリ物理量に基づいて前記初期充電ステップを決定するステップと、前記初期充電ステップが決定された場合、前記初期充電ステップで前記バッテリを充電するステップとをさらに含み得る。
【００１２】
前記初期充電ステップにおける充電以前に、測定されたバッテリ物理量を予め設定された物理量と比較するステップと、前記測定されたバッテリ物理量が前記予め設定された物理量以下である場合、定電流で前記バッテリを充電するステップと、前記定電流で充電されたバッテリのバッテリ物理量を前記予め設定された物理量と比較するステップと、前記定電流で充電された前記バッテリのバッテリ物理量が前記予め設定された物理量を超過する場合、前記初期充電ステップで前記バッテリを充電するステップとをさらに含み得る。
【００１３】
他の一実施形態に係るバッテリ充電方法は、バッテリ状態情報に基づいて低速充電モードでバッテリを充電するステップと、前記低速充電モードで充電される場合、複数のバッテリ充電ステップを含む急速充電モードの初期充電ステップで前記バッテリを充電するステップと、前記初期充電ステップで実行された充電の結果に基づいて、前記急速充電モードのバッテリ充電ステップの変更条件が満足されるか否かを決定するステップと、前記変更条件が満足される場合、前記初期充電ステップから調整充電ステップに変更するステップと、前記調整充電ステップで前記バッテリを充電するステップとを含み、前記変更条件は、前記バッテリの充電容量に対応するバッテリ物理量及び基準物理量に基づいて決定されるバッテリ過電圧が閾値電圧以上である場合として定義される第１条件を含む。
【００１４】
前記調整充電ステップにおける充電電流値は、前記初期充電ステップにおける充電電流値よりも小さい。
【００１５】
前記閾値電圧は、前記充電容量が増加するほど前記充電容量に対応する値が減少する関数に基づいて決定され得る。
【００１６】
前記変更条件は、前記初期充電ステップにおける前記バッテリの充電時間が前記初期充電ステップのデュレーション以上である場合として定義される第２条件と、前記初期充電ステップにおける前記バッテリ物理量が前記初期充電ステップのステップ電圧値以上である場合として定義される第３条件とをさらに含み、前記調整充電ステップに変更するステップは、前記第１条件、前記第２条件、及び前記第３条件のうちのいずれか１つが満足される場合に前記調整充電ステップに変更するステップを含み得る。
【００１７】
前記調整充電ステップに変更するステップは、前記バッテリ過電圧が閾値電圧以上である場合、前記初期充電ステップの早期終了を行うステップと、前記初期充電ステップの早期終了に対する応答として、バッテリ充電ステップインデックスを更新するステップと、前記更新されたバッテリ充電ステップインデックスを充電ステップの予め設定された個数と比較するステップと、前記更新されたバッテリ充電ステップインデックスが前記予め設定された個数以下である場合、前記バッテリ充電ステップを前記調整充電ステップに変更するステップとを含み得る。
【００１８】
前記バッテリ過電圧は、前記バッテリ物理量と前記基準物理量との間の差であり得る。
【００１９】
前記低速充電モードでバッテリを充電するステップは、測定されたバッテリ物理量と予め設定された物理量とを比較するステップと、前記測定されたバッテリ物理量が前記予め設定された物理量を超過する場合、前記測定されたバッテリ物理量に基づいて前記初期充電ステップを決定するステップと、前記初期充電ステップが決定された場合、予め決定した時間の間に定電流で前記バッテリを充電するステップとを含み得る。
【００２０】
前記低速充電モードでバッテリを充電するステップは、測定されたバッテリ物理量と予め設定された物理量とを比較するステップと、前記測定されたバッテリ物理量が前記予め設定された物理量以下である場合、定電流で前記バッテリを充電するステップと、前記定電流で充電されるバッテリのバッテリ物理量を前記予め設定された物理量と比較するステップと、前記定電流で充電されるバッテリのバッテリ物理量が前記予め設定された物理量を超過するまで前記定電流で前記バッテリの充電を継続するステップとを含み得る。
【００２１】
一実施形態に係るバッテリ充電装置は、バッテリ物理量を受信するインタフェースと、初期充電ステップでバッテリが充電される間に、前記バッテリの充電容量に対応する前記バッテリ物理量及び基準物理量に基づいてバッテリ過電圧を決定し、前記バッテリ過電圧に基づいてバッテリ充電ステップの変更条件が満足されるか否かを決定し、前記変更条件が満足される場合に、前記バッテリ充電ステップを前記初期充電ステップから調整充電ステップに変更するプロセッサとを含む。
【００２２】
他の一実施形態に係るバッテリ充電方法は、バッテリの初期状態に基づいて複数のバッテリ充電ステップを含む急速充電モードの初期充電ステップを決定するステップと、前記初期充電ステップで前記バッテリを充電し、前記バッテリのバッテリ過電圧が閾値電圧を超過する場合、次のバッテリ充電ステップに変更するステップとを含み、前記バッテリ過電圧は、前記バッテリの電圧と基準電圧との間の差であり得る。
【００２３】
前記急速充電モードで前記バッテリを充電する前に低速充電モードで前記バッテリを充電するステップをさらに含み、前記低速充電モードで前記バッテリを充電するステップは、前記バッテリの電圧が予め設定された電圧以下である場合、前記バッテリの電圧が前記予め設定された電圧を超過するまで前記低速充電モードで前記バッテリを充電するステップと、前記バッテリの電圧が前記予め設定された電圧を超過する場合、予め決定した時間の間に前記低速充電モードで前記バッテリを充電するステップとを含み得る。
【００２４】
前記低速充電モードで前記バッテリを充電するステップは、前記急速充電モードの複数のバッテリ充電ステップの最小ステップ充電電流よりも小さいサイズの定電流で前記バッテリを充電するステップをさらに含み得る。
【００２５】
前記急速充電モードの終了後に前記バッテリの電圧が最大充電電圧に達するまで定電流モードで前記バッテリを充電するステップをさらに含み得る。
【００２６】
前記複数のバッテリ充電ステップのそれぞれは、以後バッテリ充電ステップのステップ電圧よりも小さいステップ電圧を有し、前記バッテリの初期状態は前記バッテリの初期電圧であり、前記初期充電ステップを決定するステップは、前記初期電圧が予め設定された電圧以下である場合、前記複数のバッテリ充電ステップの最初のバッテリ充電ステップを前記初期充電ステップとして決定するステップと、前記初期電圧が前記予め設定された電圧よりも大きい場合、前記初期電圧よりも大きいステップ電圧を有するバッテリ充電ステップのうち最初を前記初期充電ステップとして決定するステップとを含み得る。
【００２７】
前記複数のバッテリ充電ステップそれぞれは、以後バッテリ充電ステップのステップ充電電流よりも小さいステップ充電電流を有し得る。
【００２８】
前記変更するステップは、前記バッテリの前記バッテリ過電圧が前記閾値電圧以上である場合、充電ステップの充電時間が前記充電ステップのステップデュレーション以上である場合、及び前記充電ステップの間の前記バッテリの電圧が前記充電ステップのステップ電圧以上である場合のいずれか１つに該当すれば、前記次のバッテリ充電ステップに変更するステップを含み得る。
【発明の効果】
【００２９】
一実施形態によると、急速充電が繰り返されてもバッテリの寿命が急激に減少しない。また、一実施形態によると、バッテリが充電される間にバッテリの過電圧は閾値電圧未満に保持され得る。
【図面の簡単な説明】
【００３０】
【図１】一実施形態に係るバッテリ充電方法の一例を説明するためのフローチャートである。
【図２】一実施形態に係るバッテリ充電ステップを説明するための図である。
【図３】一実施形態に係るバッテリ過電圧の変化を説明するための図である。
【図４】一実施形態に係るバッテリ過電圧の変化を説明するための図である。
【図５】一実施形態に係るバッテリ物理量と基準物理量を説明するための図である。
【図６Ａ】一実施形態に係るバッテリ過電圧及び閾値電圧を説明するための図である。
【図６Ｂ】一実施形態に係るバッテリ過電圧及び閾値電圧を説明するための図である。
【図７】一実施形態に係る容量保持を説明するための図である。
【図８】一実施形態に係るバッテリ充電方法の他の一例を説明するためのフローチャートである。
【図９】一実施形態に係るバッテリ充電方法の更なる一例を説明するためのフローチャートである。
【図１０】一実施形態に係るバッテリ充電装置を説明するための図である。
【図１１】一実施形態に係るバッテリ充電装置を含む充電システムの一例を説明するための図である。
【図１２】一実施形態に係るバッテリ充電装置を含む充電システムの別の一例を説明するための図である。
【発明を実施するための形態】
【００３１】
以下に、本発明を実施するための形態の具体的な実施形態例を、図面を参照しながら詳細に説明する。各図面で提示された同一の参照符号は同一の部材を示す。
【００３２】
本実施形態で用いる用語は、単に特定の実施形態を説明するために用いるものであって、実施形態を限定しようとする意図はない。単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれらを組み合わせたものなどの存在又は付加の可能性を予め排除しないものとして理解しなければならない。
【００３３】
異なる定義がなされない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００３４】
また、図面を参照して説明する際に、図面符号に関係なく同一の構成要素には同一の参照符号を付与し、それに対する重複説明を省略する。本実施形態の説明において関連する公知技術に対する具体的な説明が実施形態の要旨を不要に曖昧にすると判断される場合、その詳細な説明を省略する。
【００３５】
図１は、一実施形態に係るバッテリ充電方法の一例を説明するためのフローチャートである。図１に示されたバッテリ充電方法はバッテリ充電装置によって実行される。図１を参照すると、バッテリ充電装置は測定されたバッテリ電圧を受信する（Ｓ１１０）。バッテリに接続されたセンサはバッテリ電圧を測定し、測定されたバッテリ電圧をバッテリ充電装置に伝達する。
【００３６】
バッテリ充電装置は、測定されたバッテリ電圧を予め設定された電圧Ｖ０（例えば、３．３５Ｖ）と比較する（Ｓ１１１）。測定されたバッテリ電圧がＶ０よりも大きい場合、バッテリ充電装置は、測定されたバッテリ電圧に基づいて急速充電モードの開始ステップを決定する（Ｓ１１２）。決定された開始ステップは、急速充電モードの初期充電ステップである。
【００３７】
【表１】
2017093284.tif 000003
例えば、バッテリ充電装置に含まれたメモリは上記の表１を格納し、バッテリ充電装置は、表１を参照して急速充電モードの開始ステップを決定する。例えば、測定されたバッテリ電圧が３．９Ｖであるとき、バッテリ充電装置は、表１に示す電圧と測定されたバッテリ電圧３．９Ｖとを比較する。測定されたバッテリ電圧は、最初のバッテリ充電ステップＮ＝１の電圧３．８５Ｖよりも大きく、２番目のバッテリ充電ステップＮ＝２の電圧４．００Ｖよりも小さいため、バッテリ充電装置は２番目のバッテリ充電ステップを開始ステップとして決定する。ここで、２番目のバッテリ充電ステップが急速充電モードの初期充電ステップである。急速充電モードでＮｓ個のバッテリ充電ステップがある場合、バッテリ充電装置は、測定されたバッテリ電圧に基づいてＮ番目バッテリ充電ステップから充電を開始するものと決定できる。
【００３８】
表１は例示的な事項に過ぎず、バッテリ充電ステップを決定するために必要な情報は、上記の表１に含まれた例に制限されることはない。
【００３９】
開始ステップが決定された場合、バッテリ充電装置は予め決定した時間ｔ０（例えば、１分間）の間に低い定電流（ｌｏｗ  Ｃｏｎｓｔａｎｔ  Ｃｕｒｒｅｎｔ:、ｌｏｗ  ＣＣ）Ｉ０（例えば、０．０４Ａ）でバッテリを充電する（Ｓ１１３）。しかし、Ｉ０及びｔ０は例示に過ぎず、Ｉ０及びｔ０は前述した事項に制限されることはない。Ｉ０は急速充電モードの複数のバッテリ充電ステップの最小ステップ充電電流よりも小さいサイズであり得る（例えば、Ｉ０は上記の表１で１．６５Ａである）。しかし、Ｉ０に対する説明は例示に過ぎず、Ｉ０は前述した事項に制限されることはない。
【００４０】
測定されたバッテリ電圧がＶ０以下である場合、バッテリ充電装置はバッテリ電圧がＶ０になるまでバッテリを充電する。より具体的に、測定されたバッテリ電圧がＶ０以下である場合、バッテリ充電装置は、低い定電流（例えば、上記で説明したＩ０）でバッテリを充電する（Ｓ１１４）。また、バッテリ充電装置は、定電流充電によるバッテリ電圧をＶ０と再び比較する（Ｓ１１５）。ステップＳ１１５において、再び比較されてバッテリ電圧がＶ０以下である場合、バッテリ充電装置は、低い定電流でバッテリを充電することを継続する。ステップＳ１１５で再び比較されてバッテリ電圧がＶ０よりも大きい場合、バッテリ充電装置は、上記の表１の最初のバッテリ充電ステップから急速充電モードでバッテリを充電するものと決定する（Ｓ１１６）。言い換えれば、バッテリ充電ステップはＮ＝１に対応する。この場合、急速充電モードの初期充電ステップは急速充電モードの最初のステップである。
【００４１】
急速充電モードによるバッテリの内部衝撃を緩和するために、バッテリ充電装置は、急速充電モードでバッテリを充電する前にステップＳ１１３又はステップＳ１１４の低い定電流モードでバッテリを充電する。低い定電流モードでバッテリが充電された後、バッテリ充電装置は急速充電モードを適用する（Ｓ１１７）。急速充電モードは、上記で説明した複数のバッテリ充電ステップを含む。急速充電モードの適用に基づいて、バッテリ充電装置は、ステップＳ１１２又はステップＳ１１６で決定された初期充電ステップでバッテリを充電する。初期充電ステップは、ステップＳ１１２で決定されたＮ番目バッテリ充電ステップ（例えば、上記で説明したＮ＝２に対応するバッテリ充電ステップ）又はステップＳ１１６で決定されたＮ＝１に対応するバッテリ充電ステップであり得る。
【００４２】
バッテリ充電装置は、初期充電ステップの間の充電時間が初期充電ステップのデュレーションに対応する時間ｔＮ以上であるかを決定する（Ｓ１１８）。例えば、バッテリ充電装置は、上記で説明した２番目のバッテリ充電ステップの間の充電時間が上記の表１の１５分以上であるかを決定する。充電時間がｔＮに達した場合、バッテリ充電装置は休止期間に入る（Ｓ１２１）。例えば、バッテリ充電装置は、バッテリに電圧及び／又は電流の供給を中断して休止期間に入り得る。
【００４３】
充電時間がｔＮ未満である場合、バッテリ充電装置は、バッテリ電圧が初期充電ステップに対応するステップ電圧値ＶＮ以上であるかを決定する（Ｓ１１９）。例えば、初期充電ステップが上記で説明した２番目のバッテリ充電ステップである場合、バッテリ充電装置は、２番目のバッテリ充電ステップにおけるバッテリ電圧が上記表１の４．００Ｖ以上であるかを決定する。バッテリ電圧がＶＮに達した場合、バッテリ充電装置は休止期間に入る（Ｓ１２１）。
【００４４】
バッテリ電圧がＶＮ未満である場合、バッテリ充電装置は、Ｓ（Ｃ）−Ｒ（Ｃ）＜Ａ（Ｃ）であるかを確認する（Ｓ１２０）。ここで、Ｃは充電容量（ｃｈａｒｇｉｎｇ  ｃａｐａｃｉｔｙ）を示し、Ｓ（Ｃ）は充電容量に対応するバッテリ電圧を示し、Ｒ（Ｃ）は充電容量に対応する基準（ｒｅｆｅｒｅｎｃｅ）電圧を示し、Ａ（Ｃ）は閾値電圧を示す。バッテリ過電圧は、充電容量に対応するバッテリ電圧Ｓ（Ｃ）と充電容量に対応する基準電圧Ｒ（Ｃ）との間の差として定義される。すなわち、バッテリ過電圧は、Ｓ（Ｃ）−Ｒ（Ｃ）で定義される。バッテリ過電圧については後述する。
【００４５】
バッテリ過電圧が閾値電圧以上である場合、バッテリ充電装置は休止期間に入る（Ｓ１２１）。
【００４６】
バッテリ過電圧が閾値電圧よりも小さい場合、バッテリ充電装置は、急速充電モードの初期充電ステップでバッテリの充電を継続する（Ｓ１１７）。
【００４７】
バッテリ充電装置は充電時間に対する条件、バッテリ電圧に対する条件、及びバッテリ過電圧に対する条件のうちのいずれか１つを満足するかを決定し、条件のうちのいずれか１つが満足されれば、急速充電モード以後のバッテリ充電ステップを行う以前に休止期間に入る。又は、条件が満足されなければ、バッテリ充電装置は急速充電モードの初期充電ステップでバッテリの充電を継続する。
【００４８】
バッテリ充電装置はＮをＮ＋１に設定、すなわち、Ｎ＝Ｎ＋１を設定する（Ｓ１２２）。バッテリ充電装置は、ステップＳ１２２で設定されたＮが急速充電モードのバッテリ充電ステップの総個数Ｎｓよりも大きいかを決定する（Ｓ１２３）。ステップＳ１２２で設定されたＮがＮｓよりも小さい場合、バッテリ充電装置は急速充電モードの以後のバッテリ充電ステップでバッテリを充電する。
【００４９】
ステップＳ１２２で設定されたＮがＮｓを超過する場合、急速充電モードが終了し、バッテリ充電装置は予め決定した電流でバッテリを充電する（Ｓ１２４）。例えば、予め決定した電流は０．８２５Ａであり得る。予め決定した電流でバッテリが充電されれば、バッテリ電圧は増加し、バッテリ充電装置はバッテリ電圧を最大充電電圧Ｖｃと比較する（Ｓ１２５）。例えば、最大充電電圧Ｖｃは４．１７Ｖであり得る。
【００５０】
バッテリ電圧がＶｃよりも小さい場合、バッテリ充電装置は予め決定した電流でバッテリの充電を継続する（Ｓ１２４）。バッテリ電圧がＶｃ以上である場合、バッテリ充電装置は充電を終了する（Ｓ１２６）。
【００５１】
図２は、一実施形態に係るバッテリ充電ステップを説明するための図である。図２を参照すると、複数のバッテリ充電ステップを含む急速充電モードと定電流−定電圧の充電モードそれぞれに対応する電流値が示される。
【００５２】
バッテリ充電装置が定電流−定電圧の充電モードとして動作する場合、バッテリ充電装置は定電流でバッテリを充電する。図２に示されたグラフ２１０に示すように、予め決定した時間の間にバッテリ充電装置は定電流でバッテリを充電する。ここで、バッテリ電圧が特定電圧に達するまでバッテリ充電装置はバッテリを充電する。バッテリ電圧が特定電圧に達した場合、バッテリ充電装置は定電圧でバッテリを充電する。グラフ２１０に示すように、予め決定した時間の後から電流値が減少する。
【００５３】
バッテリ充電装置が急速充電モードとして動作する場合、バッテリ充電装置は、複数のバッテリ充電ステップそれぞれに基づいてバッテリを充電する。バッテリ充電装置は、複数のバッテリ充電ステップを順次向上させてバッテリを充電する。図２に示す例として、バッテリ充電装置は、複数のバッテリ充電ステップそれぞれに対応する充電電流値にバッテリを充電する。バッテリ充電ステップが増加するほどバッテリ充電ステップに対応する充電電流値は減少する。図２において、最初のバッテリ充電ステップは図１に示すステップＳ１１４で実行される０．０４Ａの充電電流を有する低い定電流充電ステップに対応する。次の４個のバッテリ充電ステップは、上記の図１に示すステップＳ１１７〜ステップＳ１２３で実行される上記表１の４．１２５Ａ、３．３Ａ、２．７５Ａ、及び１．６５Ａの充電電流を有する急速充電モードの４個の充電ステップに対応する。最後の充電ステップは、図１に示すステップＳ１２４で実行される０．８２５Ａの充電電流を有する、予め設定された電流充電ステップに対応する。
【００５４】
一実施形態において、バッテリ充電装置がバッテリ充電ステップでバッテリを充電する場合、バッテリ充電装置はバッテリ過電圧を決定し、バッテリ過電圧が閾値電圧以上になるかを決定する。バッテリ過電圧が閾値電圧以上になる場合、バッテリ充電装置は、バッテリ充電ステップの早期終了を実行し、その後にバッテリ充電ステップでバッテリを充電する。
【００５５】
図３〜図４は、一実施形態に係るバッテリ過電圧の変化を説明するための図である。
【００５６】
図３を参照すると、バッテリが充電される間に図１に示すステップＳ１１８の充電時間条件が適用された場合における、電圧−充電容量グラフの一例を示している。より具体的に、グラフ３１０は第１サイクル回数の電圧グラフ（例えば、最初のサイクルで測定されたバッテリ電圧値）を示し、グラフ３２０は第２サイクル回数の電圧グラフ（例えば、３０番目のサイクルで測定されたバッテリ電圧値）を示し、グラフ３３０は第３サイクル回数の電圧グラフ（例えば、４５番目のサイクルで測定されたバッテリ電圧値）を示す。
【００５７】
サイクル回数が増加するほど、特定充電容量に対応する充電電圧は増加する。図３に示された例として、充電容量が５００ミリ・アンペア・アワー（ｍＡｈ）の場合、グラフ３３０の充電電圧は他のグラフ３１０及び３２０に比べて高い。バッテリの充放電が繰り返される場合、バッテリ内部抵抗は増加し、充電電圧は増加する。そのため、サイクル回数が増加すると、充電電圧は増加し、バッテリ過電圧は増加する。
【００５８】
図４を参照すると、バッテリが充電される間に図１に示すステップＳ１１８の充電時間条件及びステップＳ１１９のバッテリ電圧条件が適用された場合における、電圧−充電容量グラフの一例が示されている。
【００５９】
グラフ４１０は第１サイクル回数の電圧グラフを示し、グラフ４２０は第２サイクル回数の電圧グラフを示し、グラフ４３０は第３サイクル回数の電圧グラフを示す。
【００６０】
図３と比較するとき、グラフ４２０の充電電圧はグラフ３２０に比べて小さい。同様に、グラフ４３０の充電電圧はグラフ３３０に比べて小さい。そのため、図４に示された例の場合、図１に示すステップＳ１１８の充電時間条件及びステップＳ１１９のバッテリ電圧条件が適用され、図３に示された例に比べてバッテリ過電圧が減少する。
【００６１】
図５は、一実施形態に係るバッテリ物理量と基準物理量を説明するための図である。図５を参照すると、バッテリ電圧関数５１０と基準電圧関数５２０が示されている。一実施形態に係るバッテリ物理量はバッテリ電圧であり、基準物理量は基準電圧である。バッテリ電圧関数５１０は充電プロファイルに含まれ、基準電圧関数５２０は基準充電プロファイルに含まれる。
【００６２】
バッテリ電圧関数５１０の場合、特定充電容量でバッテリ電圧の不連続が発生する。バッテリ充電ステップの変化によりバッテリ電圧の不連続が発生する可能性がある。
【００６３】
基準電圧関数５２０は、定電流で充電されるバッテリの電圧と充電容量に基づいて定義される。定電流のＣ−ｒａｔｅは低こともあり、例えば、１Ｃ−ｒａｔｅ又はその以下、例えば、０．５Ｃ−ｒａｔｅ又は０．３Ｃ−ｒａｔｅであり得る。基準電圧関数５２０はバッテリ充電ステップの変化がない。そのため、バッテリ電圧の不連続が発生しない。上記で説明したバッテリ電圧Ｓ（Ｃ）は、例えば、充電容量Ｃに対応するバッテリ電圧関数値を示し、上記で説明した基準電圧Ｒ（Ｃ）は充電容量Ｃに対応する基準電圧関数値を示す。
【００６４】
図６Ａ〜図６Ｂは、一実施形態に係るバッテリ過電圧及び閾値電圧を説明するための図である。
【００６５】
図６Ａを参照すると、過電圧制限関数（ｏｖｅｒ−ｐｏｔｅｎｔｉａｌ  ｌｉｍｉｔ  ｆｕｎｃｔｉｏｎ）６１０及びバッテリ過電圧関数（ｏｖｅｒ−ｐｏｔｅｎｔｉａｌ  ｆｕｎｃｔｉｏｎ）６２０が示されている。過電圧制限関数６１０は、充電容量が増加するほど充電容量に対応する値が減少する関数である。例えば、過電圧制限関数６１０は、α＋β×Ｃ＋γ×Ｃ２＋δ×Ｃ３（ここで、α、β、γ、及びδは定数である）のような多項式関数を含む。前述した過電圧制限関数の例は、一実施形態に係る例示的な事項に過ぎず、過電圧制限関数は前述した例に限定されることはない。上記で説明した閾値電圧Ａ（Ｃ）は充電容量Ｃに対応する過電圧制限関数値を示す。
【００６６】
図６Ａの例として、充電容量に対応するバッテリ過電圧は閾値電圧未満である。すなわち、全てのバッテリ充電ステップは、バッテリ過電圧が閾値電圧に達する前に終了する。
【００６７】
図６Ｂの例として、バッテリ電圧関数６３０が示されている。特定充電容量で、バッテリ過電圧は閾値電圧と同一である。バッテリ過電圧がモニタリングされない場合、バッテリ充電装置は、充電プロファイルの変更なしでバッテリを充電する。一実施形態におけるバッテリ充電装置はバッテリ過電圧をモニタリングし、バッテリ過電圧と閾値電圧とを比較し、バッテリ過電圧が閾値電圧に達する場合に充電プロファイルを変更できる。このような方式で、バッテリ充電装置は、バッテリ過電圧が閾値電圧を超過しないようにバッテリ充電ステップを変更し得る。バッテリ充電装置は、変更前にバッテリ充電ステップの充電電流よりも低い充電電流にバッテリを充電することができる。バッテリ充電装置は、バッテリ電圧関数６３０が過電圧制限関数６１０以下である領域に留まるようバッテリ充電を制御できる。
【００６８】
図７は、一実施形態に係る容量保持を説明するための図である。図７を参照すると、サイクル回数による容量保持率が示されている。
【００６９】
グラフ７１０は、定電流−定電圧の充電モードに応じてバッテリを充電した場合を示し、グラフ７２０は過電圧制限関数を利用せずに急速充電モードに応じてバッテリを充電した場合を示し、グラフ７３０〜グラフ７５０は過電圧制限関数を利用した急速充電モードに応じてバッテリを充電した場合を示す。
【００７０】
グラフ７１０の場合、容量保持率が８０％となるサイクル回数は５０未満である。
【００７１】
グラフ７２０の場合、容量保持率が８０％となるサイクル回数は約１００である。グラフ７１０と比較するとき、グラフ７２０の場合に容量保持率が８０％となるサイクル回数は増加する。
【００７２】
グラフ７３０〜グラフ７４０の場合、容量保持率が８０％となるサイクル回数は約２００である。グラフ７１０とグラフ７２０とを比較すれば、グラフ７３０〜グラフ７４０の場合に過電圧制限関数が用いられる。そのため、特定バッテリ充電ステップでバッテリ過電圧が閾値電圧を超過しない。グラフ７１０及びグラフ７２０のそれぞれに対応する充電モードと比較するとき、グラフ７３０〜グラフ７４０のそれぞれに対応する充電モードに応じてバッテリが充電される場合、同一のサイクル回数でバッテリの性能劣化又は寿命劣化の程度が大きくない。
【００７３】
図８は、一実施形態に係るバッテリ充電方法の他の一例を説明するためのフローチャートである。図８に示されたバッテリ充電方法は、バッテリ充電装置によって実行される。
【００７４】
バッテリ充電装置は、初期充電ステップでバッテリが充電される間に、バッテリの充電容量に対応するバッテリ物理量及び基準物理量に基づいてバッテリ過電圧を決定する（Ｓ８１０）。バッテリ物理量は、例えば、バッテリ電圧であってよい。基準物理量は、例えば、基準電圧であってよい。バッテ充電装置は、充電容量に対応するバッテリ電圧と充電容量に対応する基準電圧との間の差を演算する。
【００７５】
バッテリ充電装置は、バッテリ過電圧に基づいてバッテリ充電ステップの変更条件が満足されるか否かを決定する（Ｓ８２０）。一実施形態において、変更条件は、バッテリ過電圧が閾値電圧以上である場合として定義される第１条件を含み、バッテリ管理装置はバッテリ過電圧が閾値電圧以上であるかを決定する。
【００７６】
一実施形態において、変更条件は、初期充電ステップにおけるバッテリの充電時間が初期充電ステップのデュレーション以上である場合として定義される第２条件、及び初期充電ステップにおけるバッテリ物理量が初期充電ステップのステップ電圧値以上である場合として定義される第３条件をさらに含む。バッテリ充電装置は、第１条件、第２条件、及び第３条件のうちのいずれか１つが満足されるか否かを決定する。
【００７７】
バッテリ充電装置は、決定結果に基づいてバッテリ充電ステップを初期充電ステップから調整充電ステップに変更する（Ｓ８３０）。第１条件、第２条件、及び第３条件のうちのいずれか１つが満足される場合、バッテリ充電装置は、バッテリ充電ステップを初期充電ステップから調整充電ステップに変更する。一実施形態において、調整充電ステップにおける充電電流値は、初期充電ステップにおける充電電流値よりも小さいこともある。バッテリ充電装置は、第１条件、第２条件、及び第３条件のうちのいずれか１つが満足される場合に初期充電ステップを終了し、初期充電ステップから調整充電ステップに変更する。そのため、バッテリ充電装置はバッテリの充電を継続する。
【００７８】
一実施形態において、初期充電ステップでバッテリ過電圧が閾値電圧以上である場合、バッテリ充電装置は初期充電ステップの早期終了する。バッテリ充電装置は、早期終了に基づいてバッテリ充電ステップインデックスを更新し、更新されたバッテリ充電ステップインデックスをステップの予め設定された個数Ｎｓと比較する。例えば、初期充電ステップのインデックスがＮである場合、バッテリ充電装置はＮ＝Ｎ＋１に設定し、ＮをＮｓと比較する。ＮがＮｓよりも小さい場合、バッテリ充電装置は、バッテリを充電するためにバッテリ充電ステップを調整充電ステップに変更する。
【００７９】
図１〜図７を参照して記述された事項は、図８を参照して記述された事項に適用し得るため、詳細な説明は省略する。
【００８０】
図９は、一実施形態に係るバッテリ充電方法の更なる一例を説明するためのフローチャートである。図９に示されたバッテリ充電方法はバッテリ充電装置によって実行される。図９を参照すると、バッテリ充電装置は、バッテリ状態情報に基づいて低速充電モードでバッテリを充電する（Ｓ９１０）。バッテリ充電装置は、バッテリ状態情報を確認する。例えば、バッテリ充電装置は測定されたバッテリ物理量を受信し、バッテリ状態情報としてバッテリの充電状態（Ｓｔａｔｅ  ｏｆ  Ｃｈａｒｇｅ：ＳｏＣ）を決定する。バッテリ充電装置は、測定されたバッテリ物理量と予め設定された物理量とを比較する。ここで、予め設定された物理量は図１を参照して説明したＶ０であり得る。
【００８１】
測定されたバッテリ物理量が予め設定された物理量よりも大きい場合、バッテリ充電装置は、測定されたバッテリ物理量に基づいて複数のバッテリ充電ステップを含む急速充電モードの開始ステップを決定する。また、バッテリ充電装置は、予め決定した時間の間に低い定電流でバッテリを充電する。ここで、予め決定した時間及び低い定電流それぞれは図１を参照して説明したｔ０及びＩ０であり得る。急速充電モードの高い電流値によりバッテリの内部衝撃が発生する可能性がある。バッテリ充電装置は、バッテリの内部衝撃を防止するために急速充電モードの適用前に低い定電流でバッテリを充電し得る。
【００８２】
測定されたバッテリ物理量が予め設定された物理量以下である場合、バッテリ充電装置は低い定電流でバッテリを充電する。ここで、低い定電流は、図１に示すＩ０であり得る。定電流で充電されたバッテリのバッテリ物理量が予め設定された物理量を超過する場合、バッテリ充電装置は、急速充電モードの最初のバッテリ充電ステップから始めてバッテリを充電し得る。
【００８３】
バッテリ充電装置は、低速充電モードの充電に基づいて複数のバッテリ充電ステップを含む急速充電モードの初期充電ステップでバッテリを充電する（Ｓ９２０）。初期充電ステップは、測定されたバッテリ物理量が予め設定された物理量よりも大きい場合に決定された開始ステップ又は測定されたバッテリ物理量が予め設定された物理量よりも小さい場合に決定された最初バッテリ充電ステップであり得る。例えば、Ｎ＝２に決定された場合、バッテリ充電装置は２番目のバッテリ充電ステップからバッテリを充電し得る。
【００８４】
バッテリ充電装置は、急速充電モードの初期充電ステップで実行された充電に基づいてバッテリ充電ステップの変更条件が満足されるか否かを決定する（Ｓ９３０）。
【００８５】
バッテリ充電装置は変更条件が満足される場合、バッテリ充電ステップを初期充電ステップから調整充電ステップに変更する（Ｓ９４０）。
【００８６】
バッテリ充電装置は、調整充電ステップでバッテリを充電する（Ｓ９５０）。
【００８７】
図１〜図８を参照して説明された事項は、図９を参照して説明された事項に適用し得るため、詳細な説明は省略する。
【００８８】
図１０は、一実施形態に係るバッテリ充電装置を説明するための図である。図１０を参照すると、一実施形態に係るバッテリ充電装置１０００は、インタフェース１０１０及びプロセッサ１０２０を含む。
【００８９】
インタフェース１０１０はバッテリ物理量を受信する。例えば、インタフェース１０１０はセンサが測定したバッテリ電圧を受信する。
【００９０】
プロセッサ１０２０は、初期充電ステップでバッテリが充電される間にバッテリ過電圧を決定する。ここで、プロセッサ１０２０は、バッテリの充電容量に対応するバッテリ物理量及び基準物理量に基づいてバッテリ過電圧を決定する。また、プロセッサ１０２０は、バッテリ過電圧に基づいてバッテリ充電ステップの変更条件が満足されるか否かを決定する。また、プロセッサ１０２０は、変更条件が満足される場合、バッテリ充電ステップを初期充電ステップから調整充電ステップに変更する。
【００９１】
図１〜図９を参照して記述された事項は、図１０を参照して記述された事項に適用し得るため、詳細な説明は省略する。
【００９２】
図１１は、一実施形態に係るバッテリ充電装置を含む充電システムの一例を説明するための図である。図１１を参照すると、充電システムは電気移動体１１１０であってもよく、電気移動体１１１０はバッテリシステム１１２０を含む。
【００９３】
バッテリシステム１１２０は、バッテリ部１１３０及びバッテリ管理システム（Ｂａｔｔｅｒｙ  Ｍａｎａｇｅｍｅｎｔ  Ｓｙｓｔｅｍ：ＢＭＳ）１１４０を含む。バッテリ部１１３０は、バッテリモジュール又はバッテリセルを含む。ＢＭＳ１１４０は、例えば、図１０に示すバッテリ充電装置を含む。
【００９４】
一実施形態において、急速充電命令が生成される。バッテリ充電装置は、急速充電モードに応じてバッテリ部１１３０を充電する。急速充電モード以前に、バッテリ充電装置は、バッテリ部１１３０の内部衝撃を防止するために低速充電モードでバッテリ部１１３０を充電する。低速充電モードに対する説明は上記で説明したため、詳細な説明は省略する。
【００９５】
急速充電モードは複数のバッテリ充電ステップを含んでもよく、バッテリ充電装置は初期充電ステップでバッテリ部１１３０を充電する。ここで、バッテリ充電装置は、充電時間、充電電圧、及び／又はバッテリ過電圧をモニタリングする。例えば、バッテリ充電装置は、バッテリ過電圧が閾値電圧以上である場合、初期充電ステップを終了し、その後バッテリ充電ステップでバッテリ部１１３０を充電する。
【００９６】
バッテリ過電圧がモニタリング又は制御されることなく急速充電が繰り返される場合、バッテリ部１１３０の寿命は急激に短くなる。そのため、バッテリ充電装置は、バッテリ部１１３０の寿命劣化程度に対応するバッテリ過電圧を閾値電圧以下に保持しながらも急速充電することができる。そのため、急速充電が繰り返されてもバッテリ部１１３０の寿命低下の現象が大きく減少する。
【００９７】
図１〜図１０を参照して記述された事項は、図１１を参照して記述された事項に適用し得るため、詳細な説明は省略する。
【００９８】
図１２は、一実施形態に係るバッテリ充電装置を含む充電システムの別の一例を説明するための図である。図１２を参照すると、充電システムは、端末１２１０及び電力供給装置１２２０を含む。端末１２１０は、スマートフォン、ノート型パソコン、タブレットＰＣのような移動端末であり得る。端末１２１０の一例は、一実施形態に係る例示的な事項に過ぎず、端末１２１０は前述した例に制限されることはない。図１２には、バッテリ１２１１が端末１２１０に含まれるものとして図示されているが、これは一実施形態に係る例示的な事項に過ぎない。例えば、バッテリ１２１１は、端末１２１０から分離でき、端末１２１０から分離して充電され得る。
【００９９】
一実施形態によると、バッテリ充電装置は電力供給装置１２２０に含まれる。電力供給装置１２２０は端末に電力を供給し、バッテリ１２１１は充電される。電力供給装置１２２０は、端末と有線及び／又は無線で接続され得る。電力供給装置１２２０は、急速充電モードをサポートできる。そのため、電力供給装置１２２０は、上記で説明した急速充電モードに応じてバッテリ１２１１を充電することができる。
【０１００】
他の実施形態によると、端末１２１０は、バッテリ１２１１及びバッテリ１２１１を管理するバッテリ管理装置（図示せず）を含む。一実施形態に係るバッテリ充電装置は、端末１２１０に含まれたバッテリ管理装置に含まれてもよい。バッテリ管理装置は、例えば、プロセッサで実現し得る。急速充電命令が生成される場合、バッテリ管理装置は、急速充電モードに応じてバッテリ１２１１を充電し得る。急速充電モードでバッテリ管理装置はバッテリ過電圧をモニタリングし、バッテリ過電圧が閾値電圧以上である場合、バッテリ管理装置はバッテリ充電ステップを終了する。バッテリ管理装置は、その後のバッテリ充電ステップでバッテリ１２１１を充電し得る。
【０１０１】
図１〜図１０を参照して記述された事項は図１２を参照して記述された事項に適用し得るため、詳細な説明は省略する。
【０１０２】
実施形態に係る方法は、多様なコンピュータ手段を介して実施されるプログラム命令の形態で具現され、コンピュータ読み取り可能な記録媒体に記録される。記録媒体は、プログラム命令、データファイル、データ構造などを単独又は組合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明の動作を実行するために１つ以上のソフトウェアモジュールとして作動するように構成してもよく、その逆も同様である。
【０１０３】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【０１０４】
したがって、本発明の範囲は、開示された実施形態に限定されるものではなく、特許請求の範囲だけではなく特許請求の範囲と均等なものなどによって定められるものである。
【符号の説明】
【０１０５】
１０００  バッテリ充電装置
１０１０  インターフェース
１０２０  プロセッサ
１１１０  電気移動体
１１２０  バッテリシステム
１２１０  端末
【図１】
2017093284.tif 000004
【図２】
2017093284.tif 000005
【図３】
2017093284.tif 000006
【図４】
2017093284.tif 000007
【図５】
2017093284.tif 000008
【図６Ａ】
2017093284.tif 000009
【図６Ｂ】
2017093284.tif 000010
【図７】
2017093284.tif 000011
【図８】
2017093284.tif 000012
【図９】
2017093284.tif 000013
【図１０】
2017093284.tif 000014
【図１１】
2017093284.tif 000015
【図１２】
2017093284.tif 000016